(57)【要約】【課題】座席の倒伏を阻害することなくシートベルトの装着を容易に行なうことが可能なタングプレート誘導具を提供することを目的とする。【解決手段】本考案に係るタングプレート誘導具によれば、タングプレート挿入孔３２の近傍に設けられた磁石３６によりタングプレート１２の先端部がタングプレート挿入孔３２の近傍で一時的に保持されて大まかな位置決めがなされるため、タングプレート１２をタングプレート挿入孔３２側に単純にスライドさせるように押し込むだけでシートベルト用バックルとタングプレート１２とを係合することができる。本考案に係るタングプレート誘導具はシートベルト用バックルに設置するものであるから、シートベルト用バックルは従来どおりバックル側ベルト１０を介して固定されており、座席等を倒伏させる際にも障害となることは無い。【選択図】図１
0003145417.tif 000002
【実用新案登録請求の範囲】
【請求項１】
シートベルト用バックルのタングプレート挿入孔近傍に設置される磁石を有し、
当該磁石が前記タングプレート挿入孔にタングプレートの先端部が位置するように一時的に保持することを特徴とするタングプレート誘導具。
【請求項２】
シートベルト用バックルのタングプレート挿入孔にタングプレートの先端部が位置するように一時的に保持する磁石と、
当該磁石を支持する支持体と、
タングプレート未挿入時に前記磁石を前記支持体を介してタングプレート挿入孔近傍に位置させる弾性部材と、
前記支持体を可動な状態でシートベルト用バックルに固定する固定部と、
を有することを特徴とする請求項１記載のタングプレート誘導具。
【考案の詳細な説明】
【技術分野】
【０００１】
本考案は、乗用車等のシートベルトに設置されたタングプレートをシートベルト用バックルに容易に係合することが可能なタングプレート誘導具に関するものである。
【背景技術】
【０００２】
乗用車等のシートベルトは、当該シートベルトに設置されたタングプレートを座席側に設けられたシートベルト用バックルに係合することで装着する。そして、一般的に前部座席のシートベルト用バックルは固定されているため、シートベルトに設置されたタングプレートを引き寄せてシートベルト用バックルに係合する動作を片手で行なうことができる。しかしながら、後部座席のシートベルト用バックルは後部座席の倒伏を阻害しないように、後部座席部側の所定の位置に固定されたバックル側ベルトに設置されているものが多い。このため、後部座席部のシートベルト用バックルは位置が固定されておらず、後部座席のシートベルトを装着する際には片手でシートベルト用バックルを持ちもう一方の手でタングプレートを引き寄せて係合する必要がある。このため、片手に障害を負った人や、幼児、高齢者等がシートベルトの装着を容易に行えないという問題点がある。
【０００３】
上記の問題点に対し、下記［特許文献１］では、シートベルト用バックルが設置されているバックル側ベルトをシートベルト用バックル固定具で挟み込んで固定することで、前部座席と同等にシートベルトの装着を片手で行なうことが可能なシートベルト用バックル固定具に関する発明が開示されている。
【０００４】
【特許文献１】特開２００８−８７７４８号公報
【考案の開示】
【考案が解決しようとする課題】
【０００５】
しかしながら、［特許文献１］に開示された発明は、前述の後部座席の倒伏を阻害するため、後部座席を倒伏させる度にバックル固定具を取り外す必要がある。
【０００６】
本考案は、上記事情に鑑みてなされたものであり、座席の倒伏を阻害することなくシートベルトの装着を容易に行なうことが可能なタングプレート誘導具を提供することを目的とする。
【課題を解決するための手段】
【０００７】
本考案は、
（１）シートベルト用バックルのタングプレート挿入孔３２近傍に設置される磁石３６を有し、当該磁石３６が前記タングプレート挿入孔３２にタングプレート１２の先端部が位置するように一時的に保持することを特徴とするタングプレート誘導具を提供することにより、上記課題を解決する。
（２）シートベルト用バックル１８のタングプレート挿入孔３２にタングプレート１２の先端部が位置するように一時的に保持する磁石３６と、
当該磁石３６を支持する支持体４０と、
タングプレート１２未挿入時に前記磁石３６を前記支持体４０を介してタングプレート挿入孔３２近傍に位置させる弾性部材４４と、
前記支持体４０を可動な状態でシートベルト用バックル１８に固定する固定部４２と、を有することを特徴とする上記（１）記載のタングプレート誘導具６０を提供することにより、上記課題を解決する。
【考案の効果】
【０００８】
本考案のタングプレート誘導具は、
タングプレート挿入孔の近傍に設けられた磁石がタングプレートの先端部をタングプレート挿入孔の近傍で一時的に保持する。このため、タングプレート挿入孔とタングプレートとの位置決め動作が不要で容易且つ迅速にシートベルの装着を行うことができる。
【考案を実施するための最良の形態】
【０００９】
以下、本考案に係るタングプレート誘導具の実施の形態について図面に基づいて説明する。図１は本考案に係るタングプレート誘導具を備えたシートベルト用バックルの平面図及び側面図である。図２は本考案に係るタングプレート誘導具を備えたシートベルト用バックルの動作を説明する平面図及び側面図である。図３は本考案に係る第２の形態のタングプレート誘導具を備えたシートベルト用バックルの側面図及び底面図である。図４は本考案に係る第２の形態のタングプレート誘導具を備えたシートベルト用バックルの動作を説明する側面図及び底面図である。
【００１０】
先ず、本考案に係るタングプレート誘導具を備えたシートベルト用バックル５０を図１に示す。本考案に係るタングプレート誘導具を備えたシートベルト用バックル５０は、座席部側の所定の位置に固定されたバックル側ベルト１０に設置されたバックル本体３４と、バックル本体３４の所定の位置に形成されたタングプレート挿入孔３２と、バックル本体３４内に設けられタングプレート１２をロックする図示しないロック機構と、当該ロック機構のロック状態を解除するための解除ボタン１６と、タングプレート挿入孔３２の近傍に設けられた本考案に係るタングプレート誘導具としての磁石３６と、を有している。
【００１１】
次に、シートベルト用バックル５０の動作を図２を用いて説明する。先ず、タングプレート１２をシートベルト１４ごと引き寄せて、タングプレート１２の先端部をタングプレート挿入孔３２に近接させる。すると、図２(ａ)に示すように、タングプレート挿入孔３２の近傍に設けられたタングプレート誘導具としての磁石３６とタングプレート１２の先端部とが磁着する。そして、タングプレート１２の先端部はタングプレート挿入孔３２の近傍で一時的に保持される。
【００１２】
次に、タングプレート挿入孔３２にタングプレート１２をスライドさせるように押し込むことで、図２(ｂ)に示すように、シートベルト用バックル５０とタングプレート１２とが係合する。これにより、シートベルの装着が完了する。
【００１３】
次に、本考案に係る第２の形態のタングプレート誘導具６０を、図３を用いて説明する。本考案に係る第２の形態のタングプレート誘導具６０は、磁石３６を一端に備えた支持体４０と、従来のシートベルト用バックル１８の所定の位置に粘着テープなどにより固定されるとともに支持体４０の他端がシャフト２０を介して可動な状態で設置される固定部４２と、タングプレート１２の未挿入時に磁石３６を支持体４０を介してタングプレート挿入孔３２の近傍に位置させるバネ等の弾性部材４４と、を有している。
【００１４】
そして、支持体４０の磁石３６設置部はシートベルト用バックル１８のタングプレート挿入孔３２形成面から所定の寸法だけせり出しており、またタングプレート挿入孔３２の長手方向の内面と磁石３６による磁着面とが略水平となるように形成されている。
【００１５】
次に、本考案に係るタングプレート誘導具６０の動作を、図３、図４を用いて説明する。先ず、図３に示すように、タングプレート１２がタングプレート挿入孔３２に挿入されていない状態では、磁石３６は弾性部材４４の弾性力によりタングプレート挿入孔３２の近傍に位置している。
【００１６】
次に、タングプレート１２をシートベルト１４ごと引き寄せて、タングプレート１２の先端部をシートベルト用バックル１８のタングプレート挿入孔３２に近接させる。すると、図４(ａ)に示すように、タングプレート挿入孔３２の近傍に設けられた磁石３６とタングプレート１２の先端部とが磁着する。そして、タングプレート１２の先端部はタングプレート挿入孔３２の近傍で一時的に保持される。
【００１７】
次に、タングプレート挿入孔３２にタングプレート１２をスライドさせるように押し込むことで、図４(ｂ)に示すように、シートベルト用バックル１８とタングプレート１２とが係合する。これにより、シートベルの装着が完了する。このとき、支持体４０の磁石３６設置部はタングプレート１２の持ち手もしくはタングプレート１２の屈曲部によって押し下げられるため、シートベルト用バックル１８とタングプレート１２との係合動作を問題なく行うことができる。
【００１８】
そして、解除ボタン１６が押下されるなどしてタングプレート１２に対するロック状態が解除されると、図４(ａ)に示すように、磁石３６は支持体４０を介して弾性部材４４の弾性力によりタングプレート挿入孔３２の近傍に再度位置する。
【００１９】
以上のように本考案に係るタングプレート誘導具によれば、タングプレート挿入孔３２の近傍に設けられた磁石３６によりタングプレート１２の先端部がタングプレート挿入孔３２の近傍で一時的に保持されて、タングプレート挿入孔３２とタングプレート１２との大まかな位置決めがなされる。一般的なタングプレート挿入孔３２にはタングプレート１２の挿入を容易にするために擂り鉢状のガイドが設けてあり、よってタングプレート１２をタングプレート挿入孔３２側に単純にスライドさせるように押し込むだけでシートベルト用バックル５０、１８とタングプレート１２とを係合することができる。この係合動作は、一方の指でシートベルト用バックル５０、１８を支え、他方の指でタングプレート１２を押し込むようにすれば、片手で十分に行うことができる。また、タングプレート挿入孔３２とタングプレート１２との位置決め動作を行う必要が無いため、片手に障害を負った人、幼児、高齢者等でも容易且つ迅速にシートベルの装着を行うことができる。
【００２０】
また、本考案に係るタングプレート誘導具はバックル本体３４もしくはシートベルト用バックル１８に設置するものであるから、シートベルト用バックル５０、１８は従来どおりバックル側ベルト１０を介して固定されており、座席等を倒伏させる際にもタングプレート誘導具が障害となることは無い。
【００２１】
さらに、本考案に係る第２の形態のタングプレート誘導具６０は、従来のシートベルト用バックル１８に設置することが可能なため、従来のシートベルト用バックル１８になんら改造を施す事なく上記の機能を付与することができる。
【００２２】
尚、本考案に係るタングプレート誘導具は乗用車等の他、バス、航空機、遊園地等の遊具施設のシートベルト用バックルにも適用が可能である。また、上記に示す特に第２の形態のタングプレート誘導具６０の各部の形状、配置等は一例であり、本考案の要旨を逸脱しない範囲で変更して実施することが可能である。
【図面の簡単な説明】
【００２３】
【図１】本考案に係るタングプレート誘導具を備えたシートベルト用バックルの平面図及び側面図である。
【図２】本考案に係るタングプレート誘導具を備えたシートベルト用バックルの動作を説明する平面図及び側面図である。
【図３】本考案に係る第２の形態のタングプレート誘導具を備えたシートベルト用バックルの側面図及び底面図である。
【図４】本考案に係る第２の形態のタングプレート誘導具を備えたシートベルト用バックルの動作を説明する側面図及び底面図である。
【符号の説明】
【００２４】
１２    タングプレート
１８    シートベルト用バックル
３２    タングプレート挿入孔
４２    固定部
３６    磁石
４０    支持体
４４    弾性部材
６０    タングプレート誘導具
【図１】
0003145417.tif 000003
【図２】
0003145417.tif 000004
【図３】
0003145417.tif 000005
【図４】
0003145417.tif 000006